(57)【特許請求の範囲】
【請求項１】
登録指示された単語を単語帳に登録する登録手段と、
登録指示された単語が前記登録手段に既に登録されている登録済み単語と特定の関係にあるか否かを判定する第一判定手段と、
前記第一判定手段によって前記登録済み単語と特定の関係にあると判定された場合に、特定の関係にある単語同士をグループ化するグループ化手段と、
前記グループ化手段が前記グループ化した単語に対して、他に特定の関係にある単語が存在するか否かを判定する第二判定手段とを備え、
前記グループ化手段は、前記第二判定手段によって前記他に特定の関係にある単語が存在すると判定された場合に、当該単語を前記特定の関係にある単語同士のグループに追加することを特徴とする情報処理装置。
【請求項２】
請求項１記載の情報処理装置において、
表示手段を更に備え、
前記第二判定手段によって他の特定の関係にある単語が複数あると判定された場合に、当該複数の単語を前記表示手段は一覧で表示することを特徴とする情報処理装置。
【請求項３】
請求項１又は２記載の情報処理装置において、
前記特定の関係にある単語とは、類語関係又は対義語関係にある単語であることを特徴とする情報処理装置。
【請求項４】
登録指示された単語を単語帳に登録する登録ステップと、
登録指示された単語が既に登録されている登録済み単語と特定の関係にあるか否かを判定する第一判定ステップと、
前記第一判定ステップによって前記登録済み単語と特定の関係にあると判定された場合に、特定の関係にある単語同士をグループ化するグループ化ステップと、
前記グループ化ステップで前記グループ化した単語に対して、他に特定の関係にある単語が存在するか否かを判定する第二判定ステップとを含み、
前記グループ化ステップでは、前記第二判定ステップで前記他に特定の関係にある単語が存在すると判定された場合に、当該単語を前記特定の関係にある単語同士のグループに追加することを特徴とする情報表示方法。
【請求項５】
情報処理装置が備えるコンピュータを、
登録指示された単語を単語帳に登録する登録手段と、
登録指示された単語が前記登録手段に既に登録されている登録済み単語と特定の関係にあるか否かを判定する第一判定手段と、
前記第一判定手段によって前記登録済み単語と特定の関係にあると判定された場合に、特定の関係にある単語同士をグループ化するグループ化手段と、
前記グループ化手段が前記グループ化した単語に対して、他に特定の関係にある単語が存在するか否かを判定する第二判定手段として機能させ、
前記グループ化手段は、前記第二判定手段によって前記他に特定の関係にある単語が存在すると判定された場合に、当該単語を前記特定の関係にある単語同士のグループに追加することを特徴とするプログラム。
【発明の詳細な説明】
【技術分野】
【０００１】
本発明は、情報処理装置、情報表示方法及びプログラムに関する。
【背景技術】
【０００２】
電子辞書などの情報処理装置は、従来から学習用ツールとして好適に用いられている。
特に近年では、この種の情報処理装置に、いわゆる単語帳機能が標準的に備えられるようになっており、学習用ツールとしての使い勝手が向上している。「単語帳機能」とは、説明情報の表示された単語（見出し語）を、ユーザ操作に基づいて検索元の辞書データベースの種類別に登録しておき、復習を容易化する機能である（例えば、特許文献１参照）。
【先行技術文献】
【特許文献】
【０００３】
【特許文献１】特許第４８３５１２６号公報
【発明の概要】
【発明が解決しようとする課題】
【０００４】
ここで、従来から、より学習効率の高い単語帳機能の実現が望まれている。
このため、本発明の課題は、単語帳機能の拡充を図り、学習効率を向上させることである。
【課題を解決するための手段】
【０００５】
本発明の態様では、
登録指示された単語を単語帳に登録する登録手段と、
登録指示された単語が前記登録手段に既に登録されている登録済み単語と特定の関係にあるか否かを判定する第一判定手段と、
前記第一判定手段によって前記登録済み単語と特定の関係にあると判定された場合に、特定の関係にある単語同士をグループ化するグループ化手段と、
前記グループ化手段が前記グループ化した単語に対して、他に特定の関係にある単語が存在するか否かを判定する第二判定手段とを備え、
前記グループ化手段は、前記第二判定手段によって前記他に特定の関係にある単語が存在すると判定された場合に、当該単語を前記特定の関係にある単語同士のグループに追加することを特徴とする情報処理装置が提供される。
【発明の効果】
【０００６】
本発明によれば、単語帳機能の拡充を図ることができ、学習効率の向上化が可能となる。
【図面の簡単な説明】
【０００７】
【図１】（ａ）は電子辞書の概略構成を示す平面図であり、（ｂ）はタブレットパソコンを示す平面図である。
【図２】電子辞書の機能構成を示すブロック図である。
【図３】本実施形態に係る単語登録処理の流れを示すフローチャートである。
【図４】単語登録処理時における表示内容を示す説明図である。
【図５】単語登録処理時における表示内容を示す説明図である。
【図６】単語登録処理時における表示内容を示す説明図である。
【図７】単語登録処理時における表示内容を示す説明図である。
【図８】単語登録処理時における表示内容を示す説明図である。
【図９】単語登録処理時における表示内容を示す説明図である。
【発明を実施するための形態】
【０００８】
以下、添付図面を参照して、本発明に係る情報処理装置を電子辞書に適用した場合の実施形態の一例を詳細に説明する。ただし、発明の範囲は、図示例に限定されない。
【０００９】
［１  外観構成］
図１（ａ）は、電子辞書１の平面図である。
なお、本発明に係る情報処理装置としての電子辞書１は、日本人のユーザが使用する場合を例示して説明する。日本人以外の外国人が母国以外の言語を学習する際においても本発明に係る構成は有効である。
【００１０】
図１（ａ）に示すように、電子辞書１は、メインディスプレイ１０、サブディスプレイ１１、カードスロット１２、及びキー群２を備えている。
【００１１】
メインディスプレイ１０及びサブディスプレイ１１は、ユーザによるキー群２の操作に応じた文字や符号等、各種データを表示する部分であり、ＬＣＤ（Liquid Crystal Display）やＥＬＤ（Electronic Luminescence Display）等によって構成されている。なお、本実施の形態におけるメインディスプレイ１０及びサブディスプレイ１１は、いわゆるタッチパネル１１０（図２参照）と一体的に形成されており、手書き入力等の操作を受け付け可能となっている。
【００１２】
カードスロット１２は、種々の情報を記憶した外部情報記憶媒体１２ａ（図２参照）を着脱可能に設けられている。
【００１３】
キー群２は、ユーザから電子辞書１を操作するための操作を受ける各種キーを有している。具体的には、キー群２は、訳／決定キー２ｂと、文字キー２ｃと、辞書選択キー２ｄと、カーソルキー２ｅと、戻るキー２ｇと、音声キー２ｈ等とを有している。
【００１４】
訳／決定キー２ｂは、各種処理の実行、見出し語の決定等に使用されるキーである。文字キー２ｃは、ユーザによる文字の入力等に使用されるキーであり、本実施形態においては、“Ａ”〜“Ｚ”キーを備えている。
【００１５】
カーソルキー２ｅは、画面内にあるカーソルの移動等に使用されるキーであり、本実施形態においては上下左右の方向を指定可能となっている。
戻るキー２ｇは、前回表示した画面に戻るとき等に使用されるキーである。
音声キー２ｈは、選択された単語や会話文を音声で出力するためのキーである。
【００１６】
［２  内部構成］
続いて、電子辞書１の内部構成について説明する。図２は、電子辞書１の内部構成を示すブロック図である。
【００１７】
この図に示すように、電子辞書１は、表示部４０、入力部３０、音声出力部５０、記録媒体読取部６０、ＣＰＵ（Central Processing Unit）２０、記憶部８０、通信部９０を備え、各部はバスで相互にデータ通信可能に接続されて構成されている。
【００１８】
表示部４０は、本発明に係る表示手段である。表示部４０は、上述のメインディスプレイ１０及びサブディスプレイ１１を備えており、ＣＰＵ２０から入力される表示信号に基づいて各種情報をメインディスプレイ１０やサブディスプレイ１１に表示するようになっている。
【００１９】
入力部３０は、上述のキー群２やタッチパネル１１０を備えており、押下されたキーやタッチパネル１１０の位置に対応する信号をＣＰＵ２０に出力するようになっている。
【００２０】
音声出力部５０は、例えばスピーカなどを備え、ＣＰＵ２０が記憶部８０から読み出し再生した音声データを出力するようになっている。
【００２１】
記録媒体読取部６０は、上述のカードスロット１２を備えており、当該カードスロット１２に装着された外部情報記憶媒体１２ａから情報を読み出したり、当該外部情報記憶媒体１２ａに情報を記録したりするようになっている。
【００２２】
ここで、外部情報記憶媒体１２ａには、辞書データベース等が格納されるようになっている。なお、この辞書データベースは後述の記憶部８０における英和データベース群８２と言語は異なるものの同様のデータ構造を有しているため、ここでは説明を省略する。
【００２３】
ＣＰＵ２０は、入力される指示に応じて所定のプログラムに基づいた処理を実行し、各機能部への指示やデータの転送等を行い、電子辞書１を統括的に制御するようになっている。具体的には、ＣＰＵ２０は、入力部３０から入力される操作信号等に応じて記憶部８０に格納された各種プログラムを読み出し、当該プログラムに従って処理を実行する。そして、ＣＰＵ２０は、処理結果を記憶部８０に保存するとともに、当該処理結果を表示部４０に適宜出力させる。
【００２４】
記憶部８０は、電子辞書１の各種機能を実現するためのプログラムやデータを記憶するとともに、ＣＰＵ２０の作業領域として機能するメモリである。本実施形態においては、記憶部８０は、本発明に係るプログラムとしての単語登録プログラム８１と、英和データベース群８２とを記憶している。なお、本実施形態では英和データベース群８２のみを示しているが、その他の日本語−外国語のデータベース群や、外国語−外国語のデータベース群も記憶部８０に記憶されている。
【００２５】
単語登録プログラム８１は、後述の単語登録処理（図３参照）をＣＰＵ２０に実行させるためのプログラムである。
【００２６】
英和データベース群８２は、英和辞書データベース８２１と、類語辞書データベース８２２と、単語帳データベース８２３とを備えている。
英和辞書データベース８２１は、英語の単語と、その単語の日本語訳とを対応付けて複数記憶している。
類語辞書データベース８２２は、英語の単語と、その単語と日本語訳で類語関係にある単語とを対応付けて複数記憶している。
単語帳データベース８２３は、ユーザにより指定された単語が登録される記憶領域であり、書き換え自在となっている。
【００２７】
通信部９０は、無線或いは有線によって例えばインターネットＮなどの回線を通じて外部のサーバ装置１００と通信自在になっており、サーバ装置１００から情報を読み取ったり、サーバ装置１００に情報を送信したりするようになっている。
【００２８】
［３  動作］
続いて、電子辞書１の動作について、図面を参照しつつ説明する。
【００２９】
図３は、ＣＰＵ２０が単語登録プログラム８１を読み出して実行する単語登録処理の流れを示すフローチャートである。
具体的には、メインディスプレイ１０に表示された単語帳ボタンＢ１（図４参照）がタッチされ、当該タッチをタッチパネル１１０が検出したことによって、ＣＰＵ２０が単語登録プログラム８１を読み出して実行する。
【００３０】
図４は、例えば「ｍｏｖｅ」が検索されて、その単語に対応する日本語訳（説明情報）がメインディスプレイ１０に表示された状態を示す説明図である。図４に示すように、メインディスプレイ１０には、英語の単語の説明情報が表示される説明欄Ｍ１と、説明欄Ｍ１の左側に配置された操作欄Ｍ２とが設けられている。
操作欄Ｍ２には、種々の処理を実行するための複数のボタンが配列されており、その最も下段に単語帳ボタンＢ１が配置されている。
【００３１】
この単語帳ボタンＢ１がタッチされ、当該タッチをタッチパネル１１０が検出したことによって、ＣＰＵ２０が単語登録プログラム８１を読み出し、実行することで単語登録処理が開始する。
【００３２】
ステップＳ１では、ＣＰＵ２０は、単語帳ボタンＢ１がタッチされた際に説明欄Ｍ１に表示されている単語を、登録指示された単語とし単語帳データベース８２３に登録する。
ステップＳ２では、ＣＰＵ２０は、登録指示された単語が、既に登録されている登録済み単語と類語関係にあるか否かを類語辞書データベース８２２に基づいて判断し、類語関係にある場合にはステップＳ３に移行し、類語関係にない場合には単語登録処理を終了する。
【００３３】
例えば、既に「ｍｏｖｅ」が単語帳データベース８２３に登録されていて、その後、図５に示す「ｒｅｍｏｖａｌ」に対して単語帳ボタンＢ１が操作され単語登録処理が実行されると、両者の日本語訳に「移動」があるために類語辞書データベース８２２に基づいて類語関係にあると判断される。類語辞書データベース８２２での類語検索結果は、図６に示すように一時的にメインディスプレイ１０の説明欄Ｍ１に表示してもよい。
【００３４】
ステップＳ３では、ＣＰＵ２０は、類語関係にあると判断された単語同士（例えば「ｍｏｖｅ」と「Ｒｅｍｏｖａｌ」）とをグループ化する。
ステップＳ４では、ＣＰＵ２０は、グループ化された単語同士をメインディスプレイ１０に表示する。
具体的には、図７に示すように、類語関係として判断基準となる日本語訳（例えば「移動」）を振り分け用のフォルダとして、類語関係にある単語同士を振り分け、そのフォルダの内容をメインディスプレイ１０の説明欄Ｍ１に表示する。これにより、ユーザは、登録済みの単語群の中に、現在登録しようとする単語に類語関係にある単語が存在していることを認識することができる。
【００３５】
ステップＳ５では、ＣＰＵ２０は、グループ化した単語に対して、他に類語関係にある単語が存在するか否かを類語辞書データベース８２２に基づいて判断し、ある場合にはステップＳ６に移行し、ない場合には単語登録処理を終了する。
ステップＳ６では、ＣＰＵ２０は、前記他に類語関係にある単語をメインディスプレイ１０に表示する。
具体的には、類語関係として判断基準となる日本語訳（例えば「移動」）を有する単語群から、グループ化された単語（例えば「ｍｏｖｅ」と「Ｒｅｍｏｖａｌ」）以外の単語（例えば「ｔｒａｎｓｆｅｒ」、「ｔｒａｎｓｆｅｒｅｎｃｅ」、「ｍｏｖｅｍｅｎｔ」、「ｔｒａｖｅｌ」など）を類語候補としてメインディスプレイ１０の説明欄Ｍ１に表示する（図７参照）。前記他に類語関係にある単語が複数ある場合には図７に示すようにそれらの単語を一覧で表示することが好ましい。
【００３６】
ステップＳ７では、ＣＰＵ２０は、メインディスプレイ１０に表示されている前記他に類語関係にある単語のうち、一つの単語が選択されたか否かを判断し、選択されていると判断した場合にはステップＳ８に移行し、選択されていない場合には単語登録処理を終了する。
具体的には、図８に示すように、メインディスプレイ１０に表示されている類語候補のうち一つの単語（例えば「ｔｒａｎｓｆｅｒ」）が例えばペン２００によってタッチされたら、当該タッチをタッチパネル１１０が検出することによってＣＰＵ２０が一つの単語が選択されたと判断する。
【００３７】
ステップＳ８では、ＣＰＵ２０は、選択された一つの単語（例えば「ｔｒａｎｓｆｅｒ」）を、類語関係にある単語同士（例えば「ｍｏｖｅ」と「Ｒｅｍｏｖａｌ」）のグループに追加することでグループ化を実行する。
ステップＳ９では、ＣＰＵ２０は、選択された一つの単語の説明情報をメインディスプレイ１０に表示する。
具体的には、図９に示すように、選択された一つの単語（例えば「ｔｒａｎｓｆｅｒ」）の説明情報をメインディスプレイ１０の説明欄Ｍ１に表示する。
その後、ＣＰＵ２０は単語登録処理を終了する。
【００３８】
［４  効果］
以上のように、本実施形態によれば、既にグループ化された類語関係にある単語同士に対してさらに類語関係となる他の単語が存在する場合には、当該単語が前記類語関係にある単語同士のグループに追加されるので、単語帳に登録された単語の類語関係を広範囲にわたってユーザに把握させることができる。したがって、単語帳機能の拡充を図ることができ、学習効率の向上化が可能となる。
【００３９】
また、前記他に類語関係にある単語が複数あると判定された場合に、当該複数の単語が一覧で表示されるので、類語関係にある複数の単語を一度に閲覧可能に表示することができる。したがって、類語関係にある単語をより広範囲にわたってユーザに把握させることができる。
【００４０】
［５  変形例］
なお、本発明を適用可能な実施形態は、上述した実施形態に限定されることなく、本発明の趣旨を逸脱しない範囲で適宜変更可能である。
【００４１】
例えば、本発明に係る情報処理装置を電子辞書１として説明したが、本発明が適用可能なものは、このような製品に限定されず、携帯電話、パソコン、ＰＤＡ（Ｐｅｒｓｏｎａｌ  Ｄｉｇｉｔａｌ  Ａｓｓｉｓｔａｎｔ）、ゲーム機などの電子機器全般に適用可能であり、図１（ｂ）に示すようなタブレットパソコン１Ａに特に好適に適用される。
また、類語に限らず対義語など他の関係の語同士であっても適用することができる。
【００４２】
また、本実施形態では、英和データベース群８２が記憶部８０に記憶されている場合を例示して説明しているが、これらは外部のサーバ装置１００に記憶されていてもよい。この場合、ＣＰＵ２０は、通信部９０を介してサーバ装置１００にある英和データベース群８２を取得する。
【００４３】
以上、本発明のいくつかの実施形態を説明したが、本発明の範囲は、上述の実施の形態に限定するものではなく、特許請求の範囲に記載された発明の範囲をその均等の範囲を含む。
以下に、この出願の願書に最初に添付した特許請求の範囲に記載した発明を付記する。付記に記載した請求項の項番は、この出願の願書に最初に添付した特許請求の範囲の通りである。
【００４４】
〔付記〕
＜請求項１＞
登録指示された単語を単語帳に登録する登録手段と、
登録指示された単語が前記登録手段に既に登録されている登録済み単語と特定の関係にあるか否かを判定する第一判定手段と、
前記第一判定手段によって前記登録済み単語と特定の関係にあると判定された場合に、特定の関係にある単語同士をグループ化するグループ化手段と、
前記グループ化手段が前記グループ化した単語に対して、他に特定の関係にある単語が存在するか否かを判定する第二判定手段とを備え、
前記グループ化手段は、前記第二判定手段によって前記他に特定の関係にある単語が存在すると判定された場合に、当該単語を前記特定の関係にある単語同士のグループに追加することを特徴とする情報処理装置。
＜請求項２＞
請求項１記載の情報処理装置において、
表示手段を更に備え、
前記第二判定手段によって他の特定の関係にある単語が複数あると判定された場合に、当該複数の単語を前記表示手段は一覧で表示することを特徴とする情報処理装置。
＜請求項３＞
請求項１又は２記載の情報処理装置において、
前記特定の関係にある単語とは、類語関係又は対義語関係にある単語であることを特徴とする情報処理装置。
＜請求項４＞
登録指示された単語を単語帳に登録する登録ステップと、
登録指示された単語が既に登録されている登録済み単語と特定の関係にあるか否かを判定する第一判定ステップと、
前記第一判定ステップによって前記登録済み単語と特定の関係にあると判定された場合に、特定の関係にある単語同士をグループ化するグループ化ステップと、
前記グループ化ステップで前記グループ化した単語に対して、他に特定の関係にある単語が存在するか否かを判定する第二判定ステップとを含み、
前記グループ化ステップでは、前記第二判定ステップで前記他に特定の関係にある単語が存在すると判定された場合に、当該単語を前記特定の関係にある単語同士のグループに追加することを特徴とする情報表示方法。
＜請求項５＞
情報処理装置が備えるコンピュータを、
登録指示された単語を単語帳に登録する登録手段と、
登録指示された単語が前記登録手段に既に登録されている登録済み単語と特定の関係にあるか否かを判定する第一判定手段と、
前記第一判定手段によって前記登録済み単語と特定の関係にあると判定された場合に、特定の関係にある単語同士をグループ化するグループ化手段と、
前記グループ化手段が前記グループ化した単語に対して、他に特定の関係にある単語が存在するか否かを判定する第二判定手段として機能させ、
前記グループ化手段は、前記第二判定手段によって前記他に特定の関係にある単語が存在すると判定された場合に、当該単語を前記特定の関係にある単語同士のグループに追加することを特徴とするプログラム。
【符号の説明】
【００４５】
１      電子辞書（情報処理装置）
２      キー群
１０      メインディスプレイ
１１      サブディスプレイ
１２      カードスロット
２０      ＣＰＵ（登録手段、第一判定手段、グループ化手段、第二判定手段）
３０      入力部
４０      表示部（表示手段）
５０      音声出力部
６０      記録媒体読取部
８０      記憶部
８１      単語登録プログラム
８２      英和データベース群
９０      通信部
１００      サーバ装置
【図１】
0006447068.tif 000002
【図２】
0006447068.tif 000003
【図３】
0006447068.tif 000004
【図４】
0006447068.tif 000005
【図５】
0006447068.tif 000006
【図６】
0006447068.tif 000007
【図７】
0006447068.tif 000008
【図８】
0006447068.tif 000009
【図９】
0006447068.tif 000010